(57)【要約】【課題】壁面に傷を付けることなく、作業者の労力を要することなく遮音壁３の清掃を行なう。【解決手段】移動車両２に設けられ遮音壁３に接触して移動車両２（親車両１）の走行に伴って回転する払拭ロール１５と、アーム１６の回動により払拭ロール１５を所定の押圧力で遮音壁３に押圧する押圧手段とを備え、壁面に傷を付けることなく、作業者の労力を要することなく遮音壁３の清掃を行なう。【選択図】        図１
2004358368.tif 000002
【特許請求の範囲】
【請求項１】
移動体に設けられ透光板に接触して移動体の移動に伴って回転する回転払拭体と、
回転払拭体を所定の押圧力で透光板に押圧する押圧手段と
を備えたことを特徴とする透光板清掃装置。
【請求項２】
請求項１に記載の透光板清掃装置において、
回転払拭体に向けて洗浄水を噴射する洗浄水噴射手段を備えたことを特徴とする透光板清掃装置。
【請求項３】
請求項１もしくは請求項２に記載の透光板清掃装置において、
回転払拭体は、
移動体の移動方向に直交する中心軸回りで回転する円筒状スポンジであることを特徴とする透光板清掃装置。
【請求項４】
請求項３に記載の透光板清掃装置において、
円筒状スポンジは、
回転中心軸に交差する揺動軸回りで揺動自在とされたことを特徴とする透光板清掃装置。
【請求項５】
請求項１乃至請求項４のいずれか一項に記載の透光板清掃装置において、
押圧手段の押圧力に抗して回転払拭体を反透光板側に収納する収納手段を備えたことを特徴とする透光板清掃装置。
【請求項６】
請求項１乃至請求項５のいずれか一項に記載の透光板清掃装置において、
回転払拭体の移動方向前側における透光板に高圧洗浄水を噴射する高圧洗浄水噴射手段を備えたことを特徴とする透光板清掃装置。
【請求項７】
請求項２乃至請求項５のいずれか一項に記載の透光板清掃装置において、
移動体は道路の遮音用の透光板に沿って移動する車両であり、
車両には洗浄水を蓄える給水タンクと、
給水タンクの洗浄水を洗浄水噴射用マニホールド及びノズルに送給するポンプとが備えられていることを特徴とする透光板清掃装置。
【請求項８】
請求項１乃至請求項７のいずれか一項に記載の透光板清掃装置において、
回転体払拭体の回転力を調整する回転力調整機構を備えたことを特徴とする透光板清掃装置。
【請求項９】
請求項８に記載の透光板清掃装置において、
回転力調整機構は、回転払拭体の中心軸の端部に摩擦板及びボルト・ナットを設けて構成され、ナットの締め込み位置を調節することにより摩擦板と回転払拭体との接触面圧を調整して回転体払拭体の回転力を調整するようにしたことを特徴とする透光板清掃装置。
【発明の詳細な説明】
【０００１】
【発明の属する技術分野】
本発明は、例えば、自動車道路の遮音用の透光板を清掃する透光板清掃装置に関する。
【０００２】
【従来の技術】
自動車道路の側部には、自動車の走行によって発生する騒音を低減させる遮音壁が設けられている。この遮音壁は採光等の関係から透明の透光板によって構成されている。遮音壁は、自動車の排気ガスや砂塵により汚染されるために、随時、清掃する必要がある。遮音壁の清掃作業は、一般的に、作業者の人力によって行われている。
【０００３】
即ち、道路の路肩に高所作業車や水タンクローリー車、その他の作業車を停止させ、汚染された遮音壁に対して高圧の洗浄水を作業者が供給することにより洗浄作業が実施されていた。また、作業者が高所作業車に乗って各種の清掃道具を用いて洗浄作業が実施されていた。
【０００４】
従来の壁面清掃車として、例えば、特許文献１に開示された技術が知られている。
【０００５】
【特許文献１】
特開２００２−２９４６４８号公報
【０００６】
【発明が解決しようとする課題】
遮音壁の汚染を十分に落とすためには、入念な洗浄作業が必要となるが、作業者にとっては洗浄作業は大変な労力となっていた。
【０００７】
また、ブラシ等の清掃道具を用いて洗浄を行うことにより汚染を十分に落とすことが容易であるが、遮音壁は透明の透光板によって構成されているので、表面に傷が付くと透明度が悪化することになるため、ブラシ等を用いた遮音壁の洗浄は表面に傷が付かないように慎重に行う必要があった。
【０００８】
本発明は上記状況に鑑みてなされたもので、清掃する透光板の傷付きを極力抑制した状態で作業者の多大な労力を要することなく透光板の清掃が行える透光板清掃装置を提供することを目的とする。
【０００９】
【課題を解決するための手段】
上記目的を達成するための本発明の透光板清掃装置は、
移動体に設けられ透光板に接触して移動体の移動に伴って回転する回転払拭体と、
回転払拭体を所定の押圧力で透光板に押圧する押圧手段と
を備えたことを特徴とする。
【００１０】
そして、回転払拭体に向けて洗浄水を噴射する洗浄水噴射手段を備えたことを特徴とする。
【００１１】
また、回転払拭体は、
移動体の移動方向に直交する中心軸回りで回転する円筒状スポンジであることを特徴とする。
【００１２】
また、円筒状スポンジは、
回転中心軸に交差する揺動軸回りで揺動自在とされたことを特徴とする。
【００１３】
また、押圧手段の押圧力に抗して回転払拭体を反透光板側に収納する収納手段を備えたことを特徴とする。
【００１４】
また、回転払拭体の移動方向前側における透光板に高圧洗浄水を噴射する高圧洗浄水噴射手段を備えたことを特徴とする。
【００１５】
また、移動体は道路の遮音用の透光板に沿って移動する車両であり、
車両には洗浄水を蓄える給水タンクと、
給水タンクの洗浄水を洗浄水噴射用マニホールド及びノズルに送給するポン段とが備えられていることを特徴とする。
【００１６】
また、移動体は道路の遮音用の透光板に沿って移動する車両であり、
車両には洗浄水を蓄える給水タンクと、
給水タンクの洗浄水を洗浄水噴射用マニホールド及びノズルに送給するポンプと、
給水タンクの洗浄水を高圧洗浄水噴射手段に送給する高圧送給手段と
が備えられていることを特徴とする。
【００１７】
また、回転体払拭体の回転力を調整する回転力調整機構を備えたことを特徴とする透光板清掃装置。
【００１８】
また、回転力調整機構は、回転払拭体の中心軸の端部に摩擦板及びボルト・ナットを設けて構成され、ナットの締め込み位置を調節することにより摩擦板と回転払拭体との接触面圧を調整して回転体払拭体の回転力を調整するようにしたことを特徴とする。
【００１９】
【発明の実施の形態】
以下、図面に基づいて本発明の実施形態例を説明する。
【００２０】
図１には本発明の一実施形態例に係る透光板清掃装置の全体構成を表す斜視、図２には透光板清掃装置の全体構成を表す側面、図３には透光板清掃装置の全体構成を表す平面、図４には洗浄水噴射ノズルと払拭ロールの詳細状況を示してある。
【００２１】
図１乃至図３に示すように、親車両１には移動体としての移動車両２が設けられ、移動車両２は親車両１から降ろして自走可能となっている。そして、移動車両２には遮音壁（透光板）３を清掃する清掃装置４が備えられている。尚、親車両１を移動体とし、清掃装置４を親車両１側に設けて移動車両２を省略することも可能である。
【００２２】
清掃装置４は、遮音壁３に向けて高圧水を吹きつけてその水圧により汚れを落とす高圧洗浄水噴射手段１１を備え、高圧洗浄水噴射手段１１に給水タンク１２の洗浄水を送給する発動発電機またはポンプ駆動用エンジン１３及び高圧水ホース１４が設けられている。
【００２３】
また、清掃装置４は、遮音壁３に筒面が接触して移動車両２の移動に伴って回転する回転払拭体としての払拭ロール１５を備えている。払拭ロール１５は垂直方向（図２中上下方向）の中心軸Ａ回りで回転自在となり、円筒状スポンジで構成されている。払拭ロール１５はアーム１６を介して昇降装置１７に支持され、昇降装置１７に対するアーム１６の回動により払拭ロール１５は遮音壁３側に回動される。
【００２４】
更に、清掃装置４は、払拭ロール１５が遮音壁３に押圧されている際に払拭ロール１５に向けて洗浄水を噴射する洗浄水噴射手段１８を備え、洗浄水噴射手段１８に給水タンク１２の洗浄水を送給する高圧ポンプ１９及び送給水ホース２０が設けられている。
【００２５】
図４に基づいて払拭ロール１５を詳細に説明する。
【００２６】
払拭ロール１５は中心軸Ａ回りで自転自在にアーム１６に支持され、払拭ロール１５はアーム１６を介して昇降装置１７に支持されている。昇降装置１７に対するアーム１６の回動により払拭ロール１５は遮音壁３側に回動される。
【００２７】
払拭ロール１５はアーム１６側に回転自在に支持される芯棒に円筒状スポンジが接着により固定される等して構成される。尚、払拭ロール１５としては、筒状本体の外周筒面に不織布等を巻き付けて構成することも可能である。
【００２８】
昇降装置１７は移動車両２の移動方向に２本設けられ、昇降装置１７ａには２個の払拭ロール１５が支持され、昇降装置１７ｂには３個の払拭ロール１５が支持されている。アーム１６は図示しない付勢手段（押圧手段：例えば、ばね部材）により遮音壁３側に一斉に回動付勢され、５個の払拭ロール１５が一定の押圧力（所定の押圧力）により遮音壁３に押圧される。
【００２９】
尚、付勢手段としては、所定の圧力でアーム１６を遮音壁３側に付勢する構成であれば、アクチュエータ等を適用することも可能である。
【００３０】
払拭ロール１５はアーム１６に対して中心軸Ａに直交する水平軸Ｂ回り（アーム１６の軸方向）で揺動自在とされ、移動車両２が傾斜しても払拭ロール１５がアーム１６に対して水平軸Ｂ回りで揺動して遮音壁３の壁面と払拭ロール１５の筒面とが平行に維持される。
【００３１】
また、アーム１６には図示しないアクチュエータ（収納・保持手段）が設けられ、アクチュエータはアーム１６のそれぞれ、もしくは昇降装置１７ａ，昇降装置１７ｂのアーム１６毎に設けられている。清掃作業を行わない移動時等には、アクチュエータにより付勢手段の付勢力に抗してアーム１６が遮音壁３の反対側に回動され、払拭ロール１５の遮音壁３への押圧が解除される。
【００３２】
収納・保持手段を設けたことにより、清掃作業を行わない移動時等に払拭ロール１５が移動の邪魔になることがなくなる。
【００３３】
尚、収納・保持手段としては、人手によりアーム１６を付勢手段の付勢力に抗して回動させ、所定の場所でストッパ等により回動位置を係止させる構成とすることも可能である。
【００３４】
また、洗浄水噴射手段１８としての洗浄水噴射ノズル２１が低圧水噴射用マニホールド２２に複数設けられ、低圧水噴射用マニホ−ルド２２には送給ホース２０（図１参照）から洗浄水が圧送される。払拭ロールが遮音壁３に押圧されている際に払拭ロールに向けて洗浄水が噴射される。
【００３５】
図１乃至図３に示すように、払拭ロール１５の前側（移動車両２の移動方向前側）には高圧洗浄水噴射用マニホールド１１に設置された高圧噴射ノズル２３がパイプ２４に複数設けられ、パイプ２４には高圧ホース１４（図１参照）から洗浄水が圧送される。高圧噴射ノズル２３から遮音壁３に向けて高圧洗浄水が噴射されることで、水圧により汚れが洗浄される。
【００３６】
尚、清掃装置４の払拭ロール１５、洗浄水噴射ノズル２１及び高圧ノズル２３を昇降自在に構成して高さ方向に広範囲に洗浄可能な構成とすることも可能である。
【００３７】
上記構成の透光板清掃装置の作用を説明する。図５には洗浄時における遮音壁３の平面視状況を示してある。
【００３８】
通常時には、移動車両２は親車両１に載せられたまま親車両１が自動車用道路の遮音壁３に沿って移動することにより遮音壁３の清掃が実施される。親車両１が進入できない狭い場所の場合、親車両１から移動車両２を降ろして移動車両２のみを移動させて遮音壁３の清掃を実施する。以下の作用では、移動車両２が親車両１に載せられたまま親車両１が遮音壁３に沿って移動して清掃を行う場合を例にして説明してある。
【００３９】
アクチュエータにより付勢手段の付勢力に抗してアーム１６を遮音壁３の反対側に回動させ、払拭ロール１５の遮音壁３への押圧を解除した状態で親車両１を走行して移動し、所定の位置に移動させる。付勢手段の付勢力によりアーム１６を遮音壁３側に一斉に回動付勢し、５個の払拭ロール１５を同一の押圧力（所定の押圧力）により遮音壁３に押圧させる（図２中実線で示した状態）。
【００４０】
高圧ポンプ１３の駆動により高圧ホース１４から高圧噴射ノズル２３に洗浄水を供給すると共に、ポンプ１９の駆動により送給ホース２０から洗浄水噴射ノズル２１に洗浄水を供給する。
【００４１】
この状態で、親車両１を遮音壁３に沿って低速で移動させると、高圧噴射ノズル２３から遮音壁３に向けて高圧洗浄水が噴射されることで、水圧により汚れが洗浄される。高圧洗浄水の噴射により洗浄されなかった汚れ（油性固着成分等）は、洗浄水が噴射されながら遮音壁３に押圧されている払拭ロール１５が遮音壁３を転動することで拭き取られる。
【００４２】
払拭ロール１５は円筒状スポンジで構成されているため、遮音壁３を転動して遮音壁３の払拭が行われると共に、スポンジ前方及びスポンジに対して洗浄液水を噴射させスポンジの汚れの堆積をある程度抑えながら拭き取り清掃を行うものである。
【００４３】
従って、高圧噴射ノズル２３から遮音壁３に向けて高圧洗浄水が噴射されることで、水圧により汚れが洗浄され、払拭ロール１５が遮音壁３を転動することで汚れが拭き取られるので、壁面に傷を付けることなく、作業者の労力を要することなく遮音壁３の清掃が行える。
【００４４】
しかも、高圧洗浄水の噴射により洗浄されなかった汚れ（油性固着成分等）は、洗浄水が噴射されながら遮音壁３に押圧されている払拭ロール１５が遮音壁３を転動することで拭き取られるので、透光板である遮音壁３の汚れを確実に除去して光の透過を維持することができる。
【００４５】
尚、上述した実施形態例では、透光板として自動車用道路の遮音壁３を清掃する場合について説明したが、透光板としては水槽の窓のように光を通すものであれは種々のものを適用することができる。そして、清掃の対象となる透光板の種類により、移動体の構成も任意の移動面で移動できる移動体やレールに沿って移動する移動体が適用される。
【００４６】
ところで、払拭ロール１５は中心軸に対して回転自在に支持され遮音壁に対して転動するようになっている。払拭ロール１５の支持は、組み立て時に所定の回転抵抗が発生するように組み立てることも可能であるが、回転力調整機構を備えて払拭ロール１５の回転力を任意に調整できるようにすることも可能である。
【００４７】
図６、図７に基づいて回転力調整機構を備えた払拭ロール１５の一例を説明する。図６には回転力調整機構を備えた払拭ロール１５の全体状況、図７には回転力調整機構の詳細状況を示してある。
【００４８】
図に示すように、払拭ロール１５の中心軸６１の端部には摩擦板５１が設けられ、中心軸６１の端部はねじ部６２（ボルト・ナット）となっている。ねじ部６２にはナット５２（ボルト・ナット）が螺合して設けられている。ナット５２の締め込み位置を調整することにより摩擦板５１と払拭ロール１５との接触面圧が調整され、払拭ロール１５の回転力を任意に調整することができる。つまり、ナット５２を締め付けることで、摩擦板５１を押さえつける力が調整され、払拭ロール１５の回転力に所望の抵抗が与えられる。
【００４９】
このため、清掃の対象となる壁面の種類等に応じて所望の回転力となる払拭ロール１５となり、最適な状態での清掃が可能になる。
【００５０】
【発明の効果】
本発明の透光板清掃装置は、移動体に設けられ透光板に接触して移動体の移動に伴って回転する回転払拭体と、回転払拭体を所定の押圧力で透光板に押圧する押圧手段とを備えたので、壁面に傷を付けることなく、作業者の労力を要することなく透光板の清掃が行える。
【００５１】
また、回転払拭体に向けて洗浄水を噴射する洗浄水噴射手段を備えたので、
洗浄水が噴射されながら透光板に押圧されている回転払拭体が透光板を転動することで汚れが拭き取られ、透光板の汚れを確実に除去することができる。
【００５２】
また、回転払拭体は、移動体の移動方向に直交する中心軸回りで回転する円筒状スポンジであるので、透光板を転動する際にスポンジが変形して拭き取りが確実になり、且つ汚れた線浄水が回転払拭体に充満することがない。
【００５３】
また、円筒状スポンジは、回転中心軸に交差する揺動軸回りで揺動自在とされているので、移動体が傾斜しても円筒状スポンジが揺動して透光板の壁面と円筒状スポンジの筒面とが平行に維持される。
【００５４】
また、押圧手段の押圧力に抗して回転払拭体を反透光板側に収納する収納手段を備えたので、移動体を移動させるときに回転払拭体が移動の邪魔になることがない。
【００５５】
また、回転払拭体の移動方向前側における透光板に高圧洗浄水を噴射する高圧洗浄水噴射手段を備えたので、高圧洗浄水の噴射の水圧による透光板の清掃を併せて行うことができる。
【００５６】
また、移動体は道路の遮音用の透光板に沿って移動する車両であり、車両には洗浄水を蓄える給水タンクと、給水タンクの洗浄水を洗浄水噴射用マニホールド及びノズルに送給するポンプとが備えられているので、自動車用道路の透光板の清掃を行うことができる。
【００５７】
また、回転体払拭体の回転力を調整する回転力調整機構を備えたので、回転体払拭体の回転力を任意に調整することができる。
【００５８】
また、回転力調整機構は、回転払拭体の中心軸の端部に摩擦板及びボルト・ナットを設けて構成され、ナットの締め込み位置を調節することにより摩擦板と回転払拭体との接触面圧を調整して回転体払拭体の回転力を調整するようにしたので、ナットの締め込み位置の調節により回転体払拭体の回転力を任意に調整することができる。
【図面の簡単な説明】
【図１】本発明の一実施形態例に係る透光板清掃装置の全体構成を表す斜視図。
【図２】透光板清掃装置の全体構成を表す側面図。
【図３】透光板清掃装置の全体構成を表す平面図。
【図４】洗浄水噴射ノズルと払拭ロールの詳細図。
【図５】洗浄時における遮音壁３の平面図。
【図６】回転力調整機構を備えた払拭ロール１５の全体図。
【図７】回転力調整機構の詳細図。
【符号の説明】
１  親車両
２  移動車両
３  遮音壁
４  清掃装置
１１  高圧洗浄水噴射用マニホールド
１２  給水タンク
１３  発動発電機またはポンプ駆動用エンジン
１４  高圧ホース
１５  払拭ロール
１６  アーム
１７  昇降装置
１８  洗浄水噴射手段
１９  高圧ポンプ
２０  送給ホース
２１  洗浄水噴射ノズル
２２  低圧水噴射用マニホールド
２３  高圧ノズル
５１  摩擦板
５２  ナット
６１  中心軸
６２  ねじ部
【図１】
2004358368.tif 000003
【図２】
2004358368.tif 000004
【図３】
2004358368.tif 000005
【図４】
2004358368.tif 000006
【図５】
2004358368.tif 000007
【図６】
2004358368.tif 000008
【図７】
2004358368.tif 000009